(57)【要約】【課題】ＰＣカード等のカード型機器を着脱可能に挿着するため入出力Ｉ／Ｆを備えた映像表示装置において、カード型機器の挿着状態を表示すると共に、その挿着状態に応じてガイダンス情報を表示する。【解決手段】映像表示装置１０は、カード型機器３０を着脱可能に挿着するためのスロット部１７、スロット部１７からカード型機器３０を排出するための排出手段、カード型機器３０の挿着状態及び前記排出手段の動作状態を通知するための表示パターン及びその状態に応じてユーザが行うべき操作を指示するためのガイダンス情報を記憶した記憶部２１、カード型機器３０の挿着状態及び前記排出手段の動作状態を検出する状態検出手段、及び中央制御部１９を有する。中央制御部１９は、前記状態検出手段によって検出されたカード型機器３０の挿着状態及び前記排出手段の動作状態に該当する表示パターン及びガイダンス情報を記憶部２１から選択して画面に表示出力する。【選択図】図１
2005184723.tif 000002
【特許請求の範囲】
【請求項１】
カード型機器を着脱可能に挿着するための入出力インタフェイスと、該入出力インタフェイスに挿着されたカード型機器を排出するための排出手段とを備えた映像表示装置において、前記カード型機器の挿着状態及び／又は前記排出手段の動作状態を検出する状態検出手段と、前記カード型機器の挿着状態及び／又は前記排出手段の動作状態を通知するための表示パターンを記憶した記憶手段と、前記状態検出手段によって検出された前記カード型機器の挿着状態及び／又は前記排出手段の動作状態に該当する表示パターンを前記記憶手段から選択する表示パターン選択手段と、該選択した表示パターンを画面に表示出力する表示出力手段とを備えたことを特徴とする映像表示装置。
【請求項２】
請求項１に記載の映像表示装置において、前記記憶手段は、前記カード型機器の挿着状態及び／又は前記排出手段の動作状態に応じてユーザが行うべき操作を指示するためのガイダンス情報を記憶して有し、前記表示パターン選択手段は、前記状態検出手段によって検出された前記カード型機器の挿着状態及び／又は前記排出手段の動作状態に該当する表示パターンを前記記憶手段から選択する際に、該当するガイダンス情報を併せて選択し、前記表示出力手段は、前記表示パターン選択手段によって選択された表示パターン及びガイダンス情報を画面に表示出力することを特徴とする映像表示装置。
【請求項３】
請求項１又は２に記載の映像表示装置において、前記排出手段は、前記カード型機器を前記入出力インタフェイスから取り出すための取り出しボタンを備え、該取り出しボタンが押されたときに前記カード型機器を前記入出力インタフェイスから排出することを特徴とする映像表示装置。
【請求項４】
請求項１乃至３のいずれか１に記載の映像表示装置において、前記表示パターンは、前記カード型機器の挿着状態及び／又は前記排出手段の動作状態を表すアイコン情報及び／又は文字情報であることを特徴とする映像表示装置。
【請求項５】
請求項２乃至４のいずれか１に記載の映像表示装置において、前記ガイダンス情報は、図形情報又は文字情報であることを特徴とする映像表示装置。
【請求項６】
請求項２乃至５のいずれか１に記載の映像表示装置において、前記表示出力手段は、前記表示パターン及び前記ガイダンス情報を、前記入出力インタフェイスが設けられている位置に最も近い画面上の領域に表示することを特徴とする映像表示装置。
【発明の詳細な説明】
【技術分野】
【０００１】
本発明は、映像表示装置、より詳細には、カード型機器を着脱可能に挿着するための入出力インタフェイスを備えた映像表示装置に関し、特に、ＰＣカード等のカード型機器を着脱可能に挿着するための入出力インタフェイスを備えたテレビジョン装置に適用可能な映像表示装置に関する。
【背景技術】
【０００２】
パーソナルコンピュータ等の電子機器には、ＰＣカード等のカード型機器を着脱可能に挿着するための入出力インタフェイス（以下、カードスロット）を備えたものがある。このカードスロットにはＰＣカードと接続するためのコネクタが設けられており、このカードスロット側のコネクタと、ＰＣカード側のコネクタとが嵌合され、電気的に接続される。通常、電子機器には、カードスロットに挿着固定されたＰＣカードを排出するためのイジェクト手段が設けられている。このイジェクト手段に関し、例えば、特許文献１には、プッシュロッドのプッシュ操作によって連動したレバーがＰＣカードをイジェクトすることにより、イジェクト操作を簡単に行えるようにしたものが開示されている。
【特許文献１】特開平７−１５３５２４号公報
【発明の開示】
【発明が解決しようとする課題】
【０００３】
しかしながら、上記特許文献１に記載の発明は、単純なプッシュロッドの押し出し操作だけで、ＰＣカードをイジェクトするように構成されているため、例えば、記録中にボタン（プッシュロッド）を押す動作が誤って実行された場合、データの書込みエラー等の問題が生じる。このため、プッシュロッドに二値的状態を持たせて、例えば、ＰＣカードとボタンの状態が「カード挿入」かつ「ボタンＯＮ」のときにカードの内容を認識するように制御するようにしたシステムが考案されている。
しかしながら、上記以外の状態ではＰＣカード（又はボタン）の状態が認識されないため、ユーザは電子機器のＰＣカードの挿着状態を直接目視して確認しなくてはならない。
【０００４】
本発明は、上述のごとき実情に鑑みてなされたものであり、ＰＣカード等のカード型機器を着脱可能に挿着するため入出力インタフェイスを備えた映像表示装置において、カード型機器の挿着状態を表示すると共に、その挿着状態に応じてユーザが行うべき操作を指示するためのガイダンス情報を表示できるようにすること、を目的としてなされたものである。
【課題を解決するための手段】
【０００５】
上記課題を解決するために、第１の技術手段は、カード型機器を着脱可能に挿着するための入出力インタフェイスと、該入出力インタフェイスに挿着されたカード型機器を排出するための排出手段とを備えた映像表示装置において、前記カード型機器の挿着状態及び／又は前記排出手段の動作状態を検出する状態検出手段と、前記カード型機器の挿着状態及び／又は前記排出手段の動作状態を通知するための表示パターンを記憶した記憶手段と、前記状態検出手段によって検出された前記カード型機器の挿着状態及び／又は前記排出手段の動作状態に該当する表示パターンを前記記憶手段から選択する表示パターン選択手段と、該選択した表示パターンを画面に表示出力する表示出力手段とを備えたことを特徴としたものである。
【０００６】
第２の技術手段は、第１の技術手段において、前記記憶手段は、前記カード型機器の挿着状態及び／又は前記排出手段の動作状態に応じてユーザが行うべき操作を指示するためのガイダンス情報を記憶して有し、前記表示パターン選択手段は、前記状態検出手段によって検出された前記カード型機器の挿着状態及び／又は前記排出手段の動作状態に該当する表示パターンを前記記憶手段から選択する際に、該当するガイダンス情報を併せて選択し、前記表示出力手段は、前記表示パターン選択手段によって選択された表示パターン及びガイダンス情報を画面に表示出力することを特徴としたものである。
【０００７】
第３の技術手段は、第１又は第２の技術手段において、前記排出手段は、前記カード型機器を前記入出力インタフェイスから取り出すための取り出しボタンを備え、該取り出しボタンが押されたときに前記カード型機器を前記入出力インタフェイスから排出することを特徴としたものである。
【０００８】
第４の技術手段は、第１乃至第３のいずれか１の技術手段において、前記表示パターンは、前記カード型機器の挿着状態及び／又は前記排出手段の動作状態を表すアイコン情報及び／又は文字情報であることを特徴としたものである。
【０００９】
第５の技術手段は、第２乃至第４のいずれか１の技術手段において、前記ガイダンス情報は、図形情報又は文字情報であることを特徴としたものである。
【００１０】
第６の技術手段は、第２乃至第５のいずれか１の技術手段において、前記表示出力手段は、前記表示パターン及び前記ガイダンス情報を、前記入出力インタフェイスが設けられている位置に最も近い画面上の領域に表示することを特徴としたものである。
【発明の効果】
【００１１】
ＰＣカード等のカード型機器を着脱可能に挿着するため入出力インタフェイスを備えた映像表示装置において、カード型機器の挿着状態を表示することができるため、ユーザはカード型機器の挿着状態を画面上で容易に認識することができると共に、カード型機器の挿着状態に応じてユーザが行うべき操作を指示するためのガイダンス情報を表示することができるため、ユーザはガイダンス情報に従って操作するだけでよく、誤操作を防止することができる。
【発明を実施するための最良の形態】
【００１２】
図１は、本発明の一実施形態に係わる映像表示装置の内部構成例を示すブロック図で、図中、１０は映像表示装置で、該映像表示装置１０は、テレビジョン放送信号を受信するアンテナ１１、アンテナ１１によって受信されたテレビジョン放送信号を映像検波し、映像信号及び音声信号を出力する受信部１２、入力された映像信号をＲ，Ｇ，Ｂ信号に変換して表示部１５に出力する映像出力部１３、入力された音声信号をスピーカ１６に出力する音声出力部１４、ＣＲＴや液晶ディスプレイ等の表示部１５、スピーカ１６、ＰＣカード等のカード型機器３０が挿入されるスロット部１７、スロット部１７に挿着されたカード型機器３０と通信を行うカード型機器制御部１８、受信部１２，映像出力部１３，音声出力部１４及びカード型機器制御部１８を制御する中央制御部１９、中央制御部１９に各種の指示を入力する操作部２０，不揮発性メモリ等の記憶部２１を備え、３０はカード型機器である。
【００１３】
上記カード型機器３０としては、フラッシュメモリカードやハードディスクカード、各種インタフェイスカード、ＬＡＮカード、モデムカードなどの各種機能を持つＰＣカード、フラッシュメモリからなる各種メモリカードの他に、メモリカードを挿着するスロットを備えたＰＣカードであってもよく、カード状の機器全般を含むものとする。また、本発明の映像表示装置１０は、テレビジョン装置だけでなく、例えば、デスクトップ型又はノート型パーソナルコンピュータ、ＰＤＡ（Ｐｅｒｓｏｎａｌ  Ｄｉｇｉｔａｌ  Ａｓｓｉｓｔａｎｔ）などの表示機能を備えた電子機器全般に適用することができる。
【００１４】
図２は、図１に示したスロット部１７の詳細構成例を示すブロック図で、スロット部１７は、挿入されたカード型機器３０を収納するためのコネクタ１７ａと、コネクタ１７ａに挿着されたカード型機器３０の取り出しを行うためのプッシュロッド（以下、しばしば取り出しボタンという）１７ｂと、プッシュロッド１７ｂが排出準備状態に移行したことを検出する排出準備状態検出センサ１７ｃと、コネクタ１７ａ及び排出準備状態検出センサ１７ｃからの出力に応じて状態信号を出力する信号検出部１７ｄとを備えている。図１に示したカード型機器制御部１８は、コネクタ１７ａ及び信号検出部１７ｄと通信可能に接続されている。
【００１５】
図２（Ａ）には、折れ曲がりタイプのプッシュロッド１７ｂを示し、この場合、２段階の操作によってカード型機器３０を排出する。本実施形態では、コネクタ１７ａにカード型機器３０が挿着された状態で、プッシュロッド１７ｂが折り曲げられているため、スロット部１７からプッシュロッド１７ｂが突出することにより起こり得る誤操作を防止することができ、これにより接続中のカード型機器３０が意に反して排出されてしまうことを防止している。尚、このような排出機構を実現するプッシュロッド１７ｂの具体的実施形態としては、例えば市販のロック機構を有するプッシュスイッチ及びこれに類するスイッチ部材などが挙げられる。
【００１６】
次に、カード型機器３０をコネクタ１７ａから排出する際には、図２（Ａ）に示す矢印の方向（反時計回り）にプッシュロッド１７ｂの折れ曲がり部分を回動させ（第１の操作）、図２（Ｂ）に示すように、プッシュロッド１７ｂを直線状にした状態で、矢印の方向（スロット部１７の方向）に押し込むことにより（第２の操作）、図示しないイジェクトレバーを動作させてカード型機器３０をスロット部１７から外部へ排出させる。
【００１７】
また、排出準備状態検出センサ１７ｃは、例えば反射型光センサであり、図２（Ａ）に示すように、プッシュロッド１７ｂの折れ曲がり部分を検出する位置に配置され、プッシュロッド１７ｂの折れ曲がり部分の有無を検出することによって、プッシュロッド１７ｂの折れ曲がり部分を回動させる第１の操作が行われて排出準備状態に移行したことを検出し、排出準備状態検出信号を信号検出部１７ｄに出力する。
【００１８】
信号検出部１７ｄは、排出準備状態検出センサ１７ｃからの排出準備状態検出信号が入力されると、コネクタ１７ａとカード型機器３０との接続状態を検出するカード型機器検出処理を行い、コネクタ１７ａにカード型機器３０が挿着されている場合には、排出準備状態検出信号をカード型機器制御部１８に出力する。さらに、信号検出部１７ｄは、コネクタ１７ａとカード型機器３０との接続状態を検出するカード型機器検出処理を行うことで、コネクタ１７ａからのカード型機器３０の排出を検出し、コネクタ１７ａからのカード型機器３０の排出が検出されると、排出確認信号をカード型機器制御部１８に出力する。
【００１９】
カード型機器制御部１８は、カード型機器３０に記録されている映像信号と音声信号とからなる映像データを読み出し、映像信号を映像出力部１３に、音声信号を音声出力部１４にそれぞれ出力する再生処理と、受信部１２から出力される映像信号及び音声信号をカード型機器３０に映像データとして書き込む録画処理とを行う。
【００２０】
また、カード型機器制御部１８は、信号検出部１７ｄからの排出準備状態検出信号が入力されると、カード型機器３０との間の通信状態を確認する通信状態確認処理を行い、カード型機器３０と通信中である場合には、音声出力部１４を介してスピーカ１６から警報を出力すると共に、映像出力部１３を介して表示部１５に警告表示を行ってユーザに警告を報知することで、ユーザにカード型機器３０の取り出しを中止することを促す。
【００２１】
図３は、図１に示したスロット部１７の詳細構成の他の例を示すブロック図である。本実施形態のプッシュロッド１７ｂには、図２に示した折れ曲がりタイプではなく、ポップアップタイプのものを適用している。図３（Ａ）に示すように、ポップアップタイプのプッシュロッド１７ｂは、コネクタ１７ａにカード型機器３０が挿着された状態で、スロット部１７から突出しないように格納されているため、スロット部１７からプッシュロッド１７ｂが突出することにより起こり得る誤操作を防止することができ、これにより接続中のカード型機器３０が意に反して排出されてしまうことを防止している。尚、プッシュロッド１７ｂ以外の構成要素については図２に示した構成と同様とする。
【００２２】
カード型機器３０をコネクタ１７ａから排出する際には、図３（Ａ）に示す矢印の方向（スロット部１７の方向）にプッシュロッド１７ｂを押し込むことにより、図３（Ｂ）に示すように、プッシュロッド１７ｂがスロット部１７からポップアップ（突出）し、ポップアップした状態のプッシュロッド１７ｂを矢印の方向（スロット部１７の方向）に押し込むことにより、図示しないイジェクトレバーを動作させてカード型機器３０をスロット部１７から排出させる。
【００２３】
本実施形態に示すポップアップタイプのプッシュロッド１７ｂを用いる場合には、排出準備状態検出センサ１７ｃは、プッシュロッド１７ｂがポップアップしている状態か否かを検出することができる位置に配置され、プッシュロッド１７ｂをポップアップさせる第１の操作が行われて排出準備状態に移行したことを検出し、排出準備状態検出信号を信号検出部１７ｄに出力する。
【００２４】
尚、カード型機器３０の一般的仕様としては、例えば、ＰＣ−ＡＴＡカードタイプへの搭載が考えられる。ＰＣ−ＡＴＡカードを用いた場合には、プッシュロッド１７ｂによるカード型機器取り出し作業においてプロテクト機能が別段設けられてないことが多いからである。しかしながら、本発明の主旨としてはＰＣ−ＡＴＡカードタイプ以外であってもよく、これに限定するものではない。
【００２５】
図４は、記憶部２１に記憶されている表示パターン及びガイダンス情報を表示部１５に表示させたときの画面例を示す図で、図中、４１はカード型機器３０（本例ではＰＣカード３０とする）を示すアイコン、４２はプッシュロッド１７ｂ（本例では取り出しボタン１７ｂとする）を示すアイコン、４３はＰＣカード３０の挿着状態及び取り出しボタン１７ｂの動作状態に応じてユーザが行うべき操作を促すためのガイダンス情報である。本実施形態の取り出しボタン１７ｂは、図３に示したポップアップタイプを代表例として説明するが、図２に示した折れ曲がりタイプにも同様に適用することができるのは言うまでもない。
【００２６】
ここで、図１に示した記憶部２１には、ＰＣカード３０の挿着状態及び排出手段（すなわち、取り出しボタン１７ｂ）の動作状態を通知するための表示パターン（本例では、アイコン４１及びアイコン４２）と、ＰＣカード３０の挿着状態及び取り出しボタン１７ｂの動作状態に応じたガイダンス情報４３とが記憶されており、中央制御部１９が、カード型機器制御部１８からの状態信号（すなわち、ＰＣカード３０の状態信号と取り出しボタン１７ｂの状態信号）に基づいて該当するアイコン４１，アイコン４２及びガイダンス情報４３を記憶部２１から選択して表示部１５に出力する。尚、取り出しボタン１７ｂのＯＮ状態とはスロット部１７に対して押し込まれた状態、ＯＦＦ状態とはスロット部１７から突出（ポップアップ）した状態を示す。
【００２７】
通常、取り出しボタン１７ｂに二値的状態を持たせた場合、ＰＣカード３０の内容を認識する処理は、「ＰＣカード３０：挿入状態」且つ「取り出しボタン１７ｂ：ＯＮ状態」のときに行われる。本実施形態では、上記以外の状態についてもユーザが認識できるように、ＰＣカード３０の挿着状態をアイコン４１で、取り出しボタン１７ｂのＯＮ／ＯＦＦ状態をアイコン４２で画面表示する。尚、本実施形態のようにアイコン表示のみならず、例えば、文字による表示としてもよく、更にはアイコンと文字を併せて表示するようにしてもよい。また、ガイダンス情報４３は、コメント（文字情報）による表示以外でもよく、例えば、矢印などの図形情報を表示して操作指示するようにしてもよい。また、アイコン４１及びアイコン４２のみ、あるいはガイダンス情報４３のみを選択的に表示するようにしてもよい。
【００２８】
上記において、取り出しボタン１７ｂがＯＮ状態でないと中央制御部１９がＰＣカード３０を認識しない理由は、取り出しボタン１７ｂの動作状態を、（１）「ＯＮ→ＯＦＦ」にした後に、（２）「ＯＦＦ→ＯＮ」にする、という一連の操作を伴うためである。すなわち、（１）の操作により、記録動作を強制終了し、記録時の書込みエラーを防止し、（２）の操作により、ＰＣカード３０をスロット部１７から取り出す、という一連の処理を伴うためである。
【００２９】
図４（Ａ）において、アイコン４１はＰＣカード３０がスロット部１７に挿入された状態、アイコン４２は取り出しボタン１７ｂがＯＦＦ状態であることを示し、この状態でユーザが行うべき操作は、ＰＣカード３０の取り出し処理となる。従って、ガイダンス情報４３として、「取り出しボタンを押してください」というメッセージが表示される。
図４（Ｂ）において、アイコン４１はＰＣカード３０がスロット部１７に未挿入の状態、アイコン４２は取り出しボタン１７ｂがＯＮ状態であることを示し、この状態でユーザが行うべき操作は、ＰＣカード３０の挿入処理となる。従って、ガイダンス情報４３として、「ＰＣカードを挿入してください」というメッセージが表示される。
図４（Ｃ）において、アイコン４１は表示せず、アイコン４２は取り出しボタン１７ｂがＯＦＦ状態であることを示し、この状態でユーザが行うべき操作は、ＰＣカード３０の挿入待ち状態への移行処理となる。従って、ガイダンス情報４３として、「取り出しボタンを押してください」というメッセージが表示される。この場合、取り出しボタン１７ｂが押されると、ＰＣカード３０の挿入待ち状態、すなわち、図４（Ｂ）に示す状態に移行することになる。
【００３０】
図５は、ＰＣカード３０の挿入方法の一例を説明するための図である。尚、本実施形態の取り出しボタン１７ｂは、図３に示したポップアップタイプを代表例として説明するが、図２に示した折れ曲がりタイプにも同様に適用することができるのは言うまでもない。
まず、ＰＣカード３０を映像表示装置１０（図示しないスロット部１７）に挿入する際に、取り出しボタン１７ｂをＯＮ状態とし（Ｓ１）、取り出しボタン１７ｂがＯＮ状態で、ＰＣカード３０を映像表示装置１０に挿入し（Ｓ２）、ＰＣカード３０を映像表示装置１０に挿着固定する（Ｓ３）。この間、取り出しボタン１７ｂはＯＮ状態とされており、映像表示装置１０は、ＰＣカード３０が挿着固定され、且つ、取り出しボタン１７ｂがＯＮ状態のときにＰＣカード３０の内容を認識する処理を行う。
【００３１】
図６は、ＰＣカード３０の取り出し方法の一例を説明するための図である。尚、本実施形態の取り出しボタン１７ｂは、図５と同様に、図３に示したポップアップタイプを代表例として説明する。
まず、ＰＣカード３０が映像表示装置１０に挿着固定された状態で、取り出しボタン１７ｂを１回押すとボタンが突出（ポップアップ）し、ＯＦＦ状態となり（Ｓ１１）、さらに取り出しボタン１７ｂを押すと、ＰＣカード３０の挿着が解除され映像表示装置１０から押し出され（Ｓ１２）、ＰＣカード３０は映像表示装置１０から取り出されると共に、取り出しボタン１７ｂがＯＮ状態となり、ＰＣカードの挿入待ち状態となる（Ｓ１３）。
【００３２】
以上の説明から、図５及び図６に示したＰＣカード３０の挿着状態及び取り出しボタン１７ｂの動作状態を、図４に示したアイコンに基づいて表示することができるため、ユーザはＰＣカード３０の挿着状態を簡単に知ることができる上に、ＰＣカード３０の挿着状態及び取り出しボタン１７ｂの動作状態に応じたガイダンス情報を表示させることで、ユーザは次に行うべき操作がわかり、誤操作を防止することができる。
【００３３】
図７は、図１に示した映像表示装置１０の外観の一例を示す図で、映像表示装置１０は、前面右側のスロット部１７の近傍にＰＣカード３０（又はスロット部１７）の動作状態を色で通知するための動作状態表示部２２、上面中央部には音量調整や選局を行うための本体操作部２３、前面右下部にはリモコン受光部や電源ランプ、タイマランプ等の各種のインタフェイス２４を備えている。
【００３４】
図７（Ａ）は映像表示装置１０を斜め前から見た斜視図で、図７（Ｂ）は映像表示装置１０にカード型機器３０が挿入された様子を上面から見た部分図である。本実施形態では、カード型機器３０を挿入するためのスロット部１７を映像表示装置１０の右側面上部に設けているが、スロット部１７を設ける位置はこれに限定されない。また、動作状態表示部２２は、ＰＣカード３０（又はスロット部１７）の動作状態に応じて異なる色で表示し、例えば、予約待機時には橙色、記録時には赤色、動作可能時には緑色で表示する。
【００３５】
図８は、図７に示す映像表示装置１０を操作するためのリモコンの外観を示す図で、図中、２５はリモコンである。リモコン２５からの操作指示情報はインタフェイス２４のリモコン受光部に入り、各種処理が実行される。
【００３６】
図７及び図８において、ＰＣカード３０をスロット部１７に挿着する場合、リモコン２５の電源ボタン２５ａを押して一旦電源を切り、ＰＣカード３０を映像表示装置１０のスロット部１７にゆっくり挿入した後に、電源ボタン２５ａを押して電源を入れる。映像表示装置１０は、「読み込み中」を表示し、ＰＣカード３０からデータを読み込む。映像表示装置１０は、ＰＣカード３０を挿着することにより、動画や静止画、電子ブック等の録画（記録）処理、再生処理を行うことができ、さらにはＰＣカード３０の初期化処理、プロテクト処理等を行うことができる。例えば、リモコン２５の動画／静止画／電子ブックボタン２５ｂが押される毎に、映像表示装置１０は、ＰＣカード３０に記録されている動画、静止画、電子ブックの順でファイルを検索表示し、該当するファイルが存在すれば、そのファイルリストを表示し、該当するファイルがなければ、例えば「動画ファイルがありません」というメッセージを表示する。
【００３７】
また、図４に示したアイコン４１、アイコン４２及びガイダンス情報４３の表示／非表示はリモコン２５から操作するようにしてもよく、例えば、ユーザがＰＣカード３０の挿着状態を確認したいときに、リモコン２５の表示／非表示ボタン２５ｃを押すことで、上記アイコン４１、アイコン４２及びガイダンス情報４３を画面表示させ、再度、表示／非表示ボタン２５ｃを押すことで非表示にすることができる。尚、表示／非表示ボタン２５ｃは、リモコン２５の他のボタンに割り当ててもよい。また、上記アイコン４１、アイコン４２及びガイダンス情報４３を画面表示させる場合、例えば、スロット部１７が設けられている位置に最も近い画面上の領域に表示する。この場合、ユーザは画面表示されたアイコン４１、アイコン４２及びガイダンス情報４３を確認しながら、ＰＣカード３０やスロット部１７に対する操作を行うことができるため、操作性が向上する。
【００３８】
尚、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００３９】
【図１】本発明の一実施形態に係わる映像表示装置の内部構成例を示すブロック図である。
【図２】図１に示したスロット部の詳細構成例を示すブロック図である。
【図３】図１に示したスロット部の詳細構成の他の例を示すブロック図である。
【図４】記憶部に記憶されている表示パターン及びガイダンス情報を表示部に表示させたときの画面例を示す図である。
【図５】ＰＣカードの挿入方法の一例を説明するための図である。
【図６】ＰＣカードの取り出し方法の一例を説明するための図である。
【図７】図１に示した映像表示装置の外観の一例を示す図である。
【図８】図７に示す映像表示装置を操作するためのリモコンの外観を示す図である。
【符号の説明】
【００４０】
１０…映像表示装置、１１…アンテナ、１２…受信部、１３…映像出力部、１４…音声出力部、１５…表示部、１６…スピーカ、１７…スロット部、１７ａ…コネクタ、１７ｂ…プッシュロッド（取り出しボタン）、１７ｃ…排出準備状態検出センサ、１７ｄ…信号検出部、１８…カード型機器制御部、１９…中央制御部、２０…操作部、２１…記憶部、２２…動作状態表示部、２３…本体操作部、２４…インタフェイス、２５…リモコン、２５ａ…電源ボタン、２５ｂ…動画／静止画／電子ブックボタン、２５ｃ…表示／非表示ボタン、３０…カード型機器（ＰＣカード）、４１，４２…アイコン、４３…ガイダンス情報。
【図１】
2005184723.tif 000003
【図２】
2005184723.tif 000004
【図３】
2005184723.tif 000005
【図４】
2005184723.tif 000006
【図５】
2005184723.tif 000007
【図６】
2005184723.tif 000008
【図７】
2005184723.tif 000009
【図８】
2005184723.tif 000010